(57)【要約】【課題】対象者の生体データの管理のみならず、現在の体型を希望する体型に誘導することのできる体型誘導システムを提供する。【解決手段】少なくとも対象者の現体型画像を取得する現体型情報取得手段と、希望体型画像を設定する希望体型設定手段と、現体型情報取得手段によって取得された現体型画像と、希望体型設定手段によって設定した希望体型画像と、に基づいて、対象者の体型を現体型画像から希望体型画像に誘導するために必要なエネルギー摂取に関する情報及びエネルギー消費に関する情報を算出する画像比較手段と、対象者に対して、エネルギー摂取に関する情報及びエネルギー消費に関する情報を提供する情報提供手段と、を備える。【選択図】図３
2008307286.tif 000002
【特許請求の範囲】
【請求項１】
少なくとも対象者の現体型画像を取得する現体型情報取得手段と、
希望体型画像を設定する希望体型設定手段と、
前記現体型情報取得手段によって取得された現体型画像と、前記希望体型設定手段によって設定した希望体型画像と、に基づいて、前記対象者の体型を前記現体型画像から前記希望体型画像に誘導するために必要なエネルギー摂取に関する情報及びエネルギー消費に関する情報を算出する画像比較手段と、
前記対象者に対して、前記エネルギー摂取に関する情報及びエネルギー消費に関する情報を提供する情報提供手段と、を備えること
を特徴とする体型誘導システム。
【請求項２】
前記現体型情報取得手段は、前記現体型画像を取り込む現体型画像取込手段と、前記現体型画像取込手段によって取り込まれた前記現体型画像の全体について、又は、一部の画像について、面積又は体積を算出する現体型画像算出手段と、を含むことを特徴とする請求項１に記載の体型誘導システム。
【請求項３】
前記現体型情報取得手段は、前記対象者の体組成を測定するための体組成測定手段を含むことを特徴とする請求項１又は請求項２に記載の体型誘導システム。
【請求項４】
前記現体型情報取得手段は、前記対象者の個人情報を入力するための入力手段を含むことを特徴とする請求項１乃至請求項３のうち、いずれか１に記載の体型誘導システム。
【請求項５】
前記希望体型設定手段は、前記現体型画像を加工して希望体型画像を取得する希望体型画像取込手段と、前記希望体型画像取込手段によって取得された前記希望体型画像の全体について、又は、一部の画像について、面積又は体積を算出する希望体型画像算出手段と、を含むことを特徴とする請求項１乃至請求項４のうち、いずれか１に記載の体型誘導システム。
【請求項６】
前記画像比較手段は、前記現体型画像算出手段及び前記希望体型画像算出手段によってそれぞれ算出された面積又は体積、及び、前記体組成測定手段によって測定された体組成に基づいて、前記希望体型画像に現れた希望体型における体組成を推定することを特徴とする請求項３乃至請求項５のうち、いずれか１に記載の体型誘導システム。
【請求項７】
前記エネルギー摂取に関する情報は、前記対象者が摂る食事に関する情報を含み、前記エネルギー消費に関する情報は、前記対象者が行う運動に関する情報を含むことを特徴とする請求項１乃至請求項６のうち、いずれか１に記載の体型誘導システム。
【請求項８】
前記エネルギー消費に関する情報は、前記対象者の個人情報に基づいて算出する基礎代謝情報を含むことを特徴とする請求項１乃至請求項７のうち、いずれか１に記載の体型誘導システム。
【請求項９】
前記希望体型画像の全体について、又は、一部の画像について、前記画像比較手段による比較結果に拘わらず、希望体組成を変更する希望体組成変更手段を備えることを特徴とする請求項１乃至請求項８のうち、いずれか１に記載の体型誘導システム。
【請求項１０】
前記エネルギー摂取に関する情報及び前記エネルギー消費に関する情報は、対象者が希望する体型の各部位ごとに、又は体組成の項目ごとに、算出・提供されることを特徴とする請求項１乃至請求項９のうち、いずれか１に記載の体型誘導システム。
【発明の詳細な説明】
【技術分野】
【０００１】
本発明は、対象者が希望する体型に誘導する体型誘導システムに関する。
【背景技術】
【０００２】
近年、ダイエット（痩身）や、病後又は産後の体力回復などを目的として体重、体脂肪その他の生体データを管理することが行われている。具体的には、体組成計を用いて取得した生体データと、当該対象者の身長、年齢における標準的な生体データと、を比較して、対象者の生体データを標準的な生体データに近づけるように食事や運動について指導管理する、という手法が採用されている。このような生体データ管理の手法としては、例えば特許文献１に示すものがある。
【０００３】
【特許文献１】特開２００２−２０００８６号公報
【発明の開示】
【発明が解決しようとする課題】
【０００４】
しかしながら、従来の生体データ管理の手法では、体重や体脂肪量などの生体データを標準的な生体データへの誘導することはできても、個々の対象者が期待する体型をその対象者個人ごとの期待に合わせて実現させるための管理手法は何ら提案されていない。そのため、例えば、同じ痩身を希望する者であっても、腹部における肥満体型を解消したいという希望を有する者や、腹部はそのままで腕や脚を細くしたいという希望を有する者など、個人によって期待する体型は区々であるにもかかわらず、従来の生体データ管理の手法では、必ずしも対象者が期待する体型に沿った体型への変化につながらないという問題があった。
【０００５】
そこで本発明は、対象者の生体データの管理のみならず、現在の体型を希望する体型に誘導することのできる体型誘導システムを提供することを目的とする。
【課題を解決するための手段】
【０００６】
上記課題を解決するために、本発明の体型誘導システムにおいては、少なくとも対象者の現体型画像を取得する現体型情報取得手段と、希望体型画像を設定する希望体型設定手段と、現体型情報取得手段によって取得された現体型画像と、希望体型設定手段によって設定した希望体型画像と、に基づいて、対象者の体型を現体型画像から希望体型画像に誘導するために必要なエネルギー摂取に関する情報及びエネルギー消費に関する情報を算出する画像比較手段と、対象者に対して、エネルギー摂取に関する情報及びエネルギー消費に関する情報を提供する情報提供手段と、を備えることを特徴としている。
【０００７】
本発明の体型誘導システムにおいて、現体型情報取得手段は、現体型画像を取り込む現体型画像取込手段と、現体型画像取込手段によって取り込まれた現体型画像の全体について、又は、一部の画像について、面積又は体積を算出する現体型画像算出手段と、を含むことを特徴とする。
【０００８】
本発明の体型誘導システムにおいて、現体型情報取得手段は、対象者の体組成を測定するための体組成測定手段を含むことを特徴とする。
【０００９】
本発明の体型誘導システムにおいて、現体型情報取得手段は、対象者を特定する情報を入力するための入力手段を含むことを特徴とする。
【００１０】
本発明の体型誘導システムにおいて、希望体型設定手段は、現体型画像を加工して希望体型画像を取得する希望体型画像取込手段と、希望体型画像取込手段によって取得された希望体型画像の全体について、又は、一部の画像について、面積又は体積を算出する希望体型画像算出手段と、を含むことを特徴とする。
【００１１】
本発明の体型誘導システムにおいて、画像比較手段は、現体型画像算出手段及び希望体型画像算出手段によってそれぞれ算出された面積又は体積、及び、体組成測定手段によって測定された体組成に基づいて、希望体型画像に現れた希望体型における体組成を推定することを特徴とする。
【００１２】
本発明の体型誘導システムにおいて、エネルギー摂取に関する情報は、対象者が摂る食事に関する情報を含み、エネルギー消費に関する情報は、対象者が行う運動に関する情報を含むことを特徴とする。
【００１３】
本発明の体型誘導システムにおいて、エネルギー消費に関する情報は、対象者を特定する情報に基づいて算出する基礎代謝情報を含むことを特徴とする。
【００１４】
本発明の体型誘導システムにおいて、希望体型画像の全体について、又は、一部の画像について、画像比較手段による比較結果に拘わらず、希望体組成を変更する希望体組成変更手段を備えることを特徴とする。
【００１５】
本発明の体型誘導システムにおいて、エネルギー摂取に関する情報及びエネルギー消費に関する情報は、対象者が希望する体型の各部位ごとに、又は体組成の項目ごとに、算出・提供されることを特徴とする。
【発明の効果】
【００１６】
本発明によると、少なくとも対象者の現体型画像を取得する現体型情報取得手段と、希望体型画像を設定する希望体型設定手段と、現体型情報取得手段によって取得された現体型画像と、希望体型設定手段によって設定した希望体型画像と、に基づいて、対象者の体型を現体型画像から希望体型画像に誘導するために必要なエネルギー摂取に関する情報及びエネルギー消費に関する情報を算出する画像比較手段と、対象者に対して、エネルギー摂取に関する情報及びエネルギー消費に関する情報を提供する情報提供手段と、を備えるため、対象者が、情報提供手段が提供したエネルギー摂取及びエネルギー消費に関する情報に基づいて、エネルギー摂取及びエネルギー消費を実行することにより、現体型画像に現れる体型を、希望体型画像に現れる体型へ誘導することができ、これにより、対象者の生体データの管理のみならず、現在の体型を希望する体型に誘導することのできる体型誘導システムを提供することができる。
【発明を実施するための最良の形態】
【００１７】
以下、本発明の実施形態に係る体型誘導システム１０について、図１乃至図３を参照しつつ詳しく説明する。図１（ａ）は、本実施形態に係る体型誘導システム１０の構成を示す斜視図、（ｂ）は、本実施形態に係る電極部材２８Ｌ、２８Ｒの構成を示す側面図、図２は、体型誘導システム１０の構成を示すブロック図、図３は、体型誘導システム１０の動作の流れを示すフローチャートである。
【００１８】
図１に示すように、本実施形態にかかる体型誘導システム１０は、基台１５上にそれぞれ固定された本体２０及び体組成計３０を有する。本体２０は、第１カメラ２１、第２カメラ２２、２３、スキャナ２４、表示入力部２５、及び、グリップ２６を備える。図２に示すように、本体２０の内部には、制御部４０、記憶部４１、演算部４２、及び電源部４３が設けられている。以下に、各部材の詳細な構成について説明する。
【００１９】
本体２０は略直方体形状をなし、下面が基台１５に固定されている。基台１５には、本体２０の前面側に、体組成計３０が固定されている。本体２０の前面には、体組成計３０上に載った対象者の上半身側を撮影することが可能な第１カメラ（現体型画像取込手段）２１、及び、対象者の下半身側を撮影することが可能な第２カメラ（現体型画像取込手段）２２、２３が配置されている。第１カメラ、第２カメラ２２、２３によって、対象者の現在の体型の画像（現体型画像）が得ることができる。なお、第１カメラ、第２カメラ２２、２３は、いずれも公知のカメラを用いればよい。
【００２０】
本体２０の前面略中央には、写真、印刷画像その他の画像を読み取り可能なスキャナ（現体型画像取込手段）２４が配置されている。スキャナ２４は、対象者の現在の体型を現した画像が形成された紙、印画紙、フィルムその他の媒体が投入口２４ａから本体２０内に投入され、本体２０の内部で画像が読み込まれた後に、排出口２４ｂから外部へ排出されるようになっている。スキャナ２４は、公知のスキャナを用いればよい。また、スキャナ２４のほかに、ＳＤメモリーカード、メモリースティック、ｘＤピクチャーカード、ＵＳＢメモリその他のメモリーカード用の接続部を設けて、これらの記憶媒体に記憶された画像を取り込むようにしてもよい。
【００２１】
本体２０の前面において、第１カメラの下方には表示入力部２５が配置されている。表示入力部２５は、一例としてタッチパネル機能を備えた液晶表示パネルを用いる。この表示入力部２５には、第１カメラ、第２カメラ２２、２３、スキャナ２４によって取得された画像、表示入力部２５によって入力された情報、体組成計３０を用いた測定によって得られた生体データ、並びに、これらの情報から算出された情報などを表示することが可能な表示部２５ａ（図２参照）と、対象者の体組成情報を算出するために必要な個人情報（例えば、身長、性別、年齢）などを予め入力し、又は対象者が希望する体型に画像を加工操作することが可能な入力部２５ｂ（図２参照）を有しており、この表示部２５ａと入力部２５ｂとは、本実施形態のように一体型で構成してもよいが、それぞれを別体で構成するようにしてもよい。表示入力部２５は、情報提供手段、入力手段、及び希望体型画像取込手段として機能する。
【００２２】
本体２０の両側面には、左手用グリップ２６Ｌ及び右手用グリップ２６Ｒからなるグリップ２６と、左手用グリップ２６Ｌを本体２０に接続するコード２７Ｌ及び右手用グリップ２６Ｒを本体２０に接続するコード２７Ｒと、を有している。図１（ｂ）に示すように、左手用グリップ２６Ｌには、対象者の左掌への接触に適し、左掌から身体に交流電流を流すための通電電極２８Ｌ１及び身体に生じた電圧（電位差）を測定するための測定電極２８Ｌ２で構成される左手用電極部材２８Ｌが設けられている。また、右手用グリップ２６Ｒには、対象者の右掌への接触に適し、右掌から身体に交流電流を流すための通電電極２８Ｒ１及び身体に生じた電圧（電位差）を測定するための測定電極２８Ｒ２で構成される右手用電極部材２８Ｒが設けられている。左手用電極部材２８Ｌが配設された部分が左手用グリップ２６Ｌの把持部、右手用電極部材２８Ｒが配設された部分が右手用グリップ２６Ｒの把持部となる。左手用電極部材２８Ｌ及び右手用電極部材２８Ｒは、後述する体組成計３０における電極部材３２を構成するものである。したがって、本実施形態においてグリップ２６は、本体２０の両側面に設けられているが、必ずしもこのように構成する必要はなく、例えば、体組成計３０の側部にコード２７Ｌ、２７Ｒの一端を接続することにより、体組成計３０に直接設けるようにしてもよい。
【００２３】
体組成測定手段としての体組成計３０は、対象者の身長、年齢、性別といった個人情報と、体重と、両手足間の生体電気インピーダンスと、を利用して対象者の体脂肪率、内臓脂肪レベル、体水分率、筋肉量、基礎代謝量、骨量などの体組成情報を算出することができるように構成された体組成計である。
【００２４】
本実施形態において、体組成計３０は、載せ台３１に電極部材３２（体組成測定手段）を有しており、電極部材３２は、体組成計３０の上面に設けられた４枚の電極部材３２ａ、３２ｂ、３２ｃ、３２ｄと、左手用グリップ２６Ｌに設けられた左手用電極部材２８Ｌ（通電電極２８Ｌ１及び測定電極２８Ｌ２）と、グリップ２６Ｒに設けられた右手用電極部材２８Ｒ（通電電極２８Ｒ１及び測定電極２８Ｒ２）と、の計８枚からなる。この体組成計３０では、本体２０側を向いて対象者が載った場合に、対象者のつま先が接触する電極部材３２ａ、３２ｄを通電電極、かかとが接触する電極部材３２ｂ、３２ｃを測定電極とすることにより、両足のつま先間に、両脚部（下半身）を介して電流を流し、この電流経路に発生する電圧をかかと間で測定することができるようになっている。一方、左手用電極部材２８Ｌ及び右手用電極部材２８Ｒによって、両腕・胸部を通る両手間に電流を流し、この電流経路に発生する電圧を測定することができるようになっている。
【００２５】
また、図示はされていないが、体組成計３０の内部には重量測定部が設けられている。重量測定部の構成は公知のものを適宜採択可能であり、具体的には、荷重を掛けると荷重に応じて変形する金属部材からなる起歪体と、起歪体に装着される歪みゲージと、からなるロードセルを用いることにより、荷重に応じた抵抗値の変化により対象者の体重を測定するようにすればよい。
【００２６】
図２に示すように、第１カメラ２１、第２カメラ２２、２３、スキャナ２４、表示入力部２５（表示部２５ａ及び入力部２５ｂ）、記憶部４１、体組成計３０、演算部４２、及び電源部４３は、制御部４０に接続され、制御部４０によって動作が制御されるようになっている。また、制御部４０は、第１カメラ２１、第２カメラ２２、２３、スキャナ２４、入力部２５ｂ、及び体組成計３０から送られたデータを処理する。データの処理は、制御部４０の制御のもと、演算部４２で行い、演算結果は記憶部４１に記憶される。この記憶部４１には、データの処理に必要な情報、プログラムが予め保存されている。
【００２７】
制御部４０は、電源部４３に対して、体組成計３０の通電電極（通電電極３２ａ、３２ｄ、２８Ｌ１、２８Ｒ１）に与える電流量を指示する信号を出力し、これを受けた電源部４３は体組成計３０の通電電極へ定電流を出力する。電流印加によって生じた電圧は体組成計３０の測定電極（測定電極３２ｂ、３２ｃ、２８Ｌ２、２８Ｒ２）で測定されて、測定結果が制御部４０へ出力される。また、体組成計３０の重量測定部（図に示さず）のロードセルから得られた抵抗値が制御部４０へ出力される。制御部４０は、演算部４２に対して、記憶部４１に記憶されたプログラムにしたがって、体組成計３０の測定電極において測定された電圧値及び通電電極に印加した電流値から対象者の全身又は各部位（右腕、左腕、右脚、左脚、及び体幹）の生体インピーダンス（生体電気インピーダンス）、及び重量測定部において測定された電圧値から体重を算出するとともに、これらに基づく他の生体データ（例えば、全身又は各部位の体脂肪率、体水分率、全身又は各部位の筋肉量、基礎代謝量、骨量、内臓脂肪レベル）を算出するよう指示する。
【００２８】
つづいて、本実施形態に係る体型誘導システム１０の動作の流れについて、図３を参照しつつ説明する。体型誘導システム１０においては、まず、現体型情報を取得し（ステップＳ１〜Ｓ５）、その後、希望体型の設定を行う（ステップＳ６〜Ｓ７）。次に、現体型画像と希望体型画像に基づいて画像比較を行い（ステップＳ８〜Ｓ９）、その後、対象者の希望に応じて希望体組成の変更をし（ステップＳ１０〜Ｓ１１）、最後に、情報提供を行って（ステップＳ１２）、動作を終了する（ステップＳ１３）。以下に、各工程の詳細について説明する。
【００２９】
（１）現体型情報取得工程
対象者が体組成計３０に載ると体型誘導システム１０が動作を開始する（ステップＳ１）。対象者は、表示入力部２５の入力部２５ｂを操作することによって、対象者の個人情報を入力する（ステップＳ２）。個人情報としては、例えば、身長、年齢、性別の他、日常の食事の取り方（回数・内容など）、平均的な運動量などが挙げられ、表示入力部２５の表示部２５ａにおいてこれらを問診する画面を表示し、対象者が入力部２５ｂにより個人情報を入力できるようにするのが好適である。入力された個人情報は、制御部４０の制御のもと記憶部４１に記憶される。また、対象者は、現体型画像取込手段としての第１カメラ２１、第２カメラ２２、２３、及びスキャナ２４を適宜組み合わせて、対象者自身の現在の体型画像（現体型画像）を体型誘導システム１０内に取り込む（ステップＳ３）。対象者自身の現在の体型画像（現体型画像）としての自己の写真などが無い場合には、第１カメラ２１、第２カメラ２２、２３による撮影を行って現体型画像を取得し体型誘導システム１０内に取り込めばよいし、既に自己の写真などが用意できている場合には、スキャナ２４の投入口２４ａから投入して現体型画像を取得し体型誘導システム１０内に取り込めばよい。取り込みにおいては、カメラ又はスキャナで取り込んだ画像から、汎用の画像処理ソフトを用いて輪郭形状を抽出する。ここで、体型とは、体全体の輪郭形状、又は、体のうちの所望する一部の輪郭形状である。
【００３０】
対象者が表示入力部２５の表示部２５ａに表示されたメニューにしたがって、体型の変更を希望する部分を指定すると、制御部４０は、第１カメラ２１、第２カメラ２２、２３のうちの必要なカメラを動作させて対象者の体型を取り込む。対象者が表示部２５ａに表示されたメニューで画像のスキャンを選んだ場合は、制御部４０はスキャナ２４を動作させて、投入口２４ａから挿入された画像を読み取り、抽出された輪郭を取り込む。取り込まれた体型画像は記憶部４１に記憶される。
【００３１】
次に、制御部４０は、現体型画像算出手段としての演算部４２に対して、取り込まれた現体型画像の全体、又は、一部の画像（例えば腕、足）について、面積又は体積を算出するよう指示する（ステップＳ３）。この指示信号を受けた演算部４２は、画像比較手段として、記憶部４１にあらかじめ記憶されたプログラムにしたがって、現体型画像の面積又は体積を算出する（ステップＳ４）。体積を算出する場合は、あらかじめ、第１カメラ２１、第２カメラ２２、２３、スキャナ２４によって、複数方向から見た対象者の体型を取り込み、汎用の画像処理ソフトによって、三次元画像に展開するのが好適である。
【００３２】
制御部４０は、対象者に印加する電流量を指示する信号を電源部４３に対して出力し、これを受けた電源部４３は、体組成計３０の通電電極（通電電極３２ａ、３２ｄ、２８Ｌ１、２８Ｒ１）へ指示された量の電流を印加する。制御部４０はまた、体組成計３０の測定電極（測定電極３２ｂ、３２ｃ、２８Ｌ２、２８Ｒ２）で測定された電圧値を記憶部４１に記憶させる。さらに制御部４０は、体組成計３０の測定電極において測定された電圧値及び通電電極に印加した電流値から対象者の全身又は各部位（右腕、左腕、右脚、左脚、及び体幹）の生体インピーダンス（生体電気インピーダンス）、及び重量測定部（図に示さず）において測定された抵抗値から体重をそれぞれ算出するとともに、これらに基づく他の生体データ（例えば、全身又は各部位の体脂肪率、体水分率、全身又は各部位の筋肉量、基礎代謝量、骨量、内臓脂肪レベル）を算出するよう指示し、演算部４２は、記憶部４１にあらかじめ記憶されたプログラムにしたがって生体データを算出し、算出されたデータは記憶部４１に記憶される（ステップＳ５）。
【００３３】
（２）希望体型設定工程
対象者が表示入力部２５の入力部２５ｂを操作することにより、希望体型設定工程が開始されると、すでに取り込まれた現体型画像が表示入力部２５の表示部２５ａに表示される。対象者は、表示入力部２５の入力部（希望体型画像取込手段）２５ｂを操作することにより、現体型画像のうち、全体又は希望する部分の画像を加工する。例えば、全身にわたって痩身を実現したい、反対に、筋肉によって全体的に太くたくましい体型にしたい、という場合には、その希望する体型に沿って現体型画像の体の部位の輪郭を全体的に細く又は太く加工すれば良く、また、腹部における肥満体型さえ解消すればよい、腹部はそのままで腕・脚のみを細くしたい、という場合には、その希望する体型に沿って現体型画像の体の部位のうち、腹部の輪郭のみを細く、又は腕・脚の輪郭のみを細く加工すればよい。加工された画像は、制御部４０の制御のもと、希望体型画像として取り込まれ、記憶部４１に記憶される（ステップＳ６）。希望体型画像の加工は、汎用の画像加工ソフトウエアで行うことができるほか、本実施形態に係る体型誘導システム専用に設計したソフトウエアであってもよい。専用ソフトウエアの場合は、インターネット経由で専用サーバからダウンロードすることによって入手するように設定することもできる。
【００３４】
次に、制御部４０は、希望体型画像算出手段としての演算部４２に対して、取り込まれた希望体型画像について、面積又は体積を算出するよう指示する。この指示信号を受けた演算部４２は、記憶部４１にあらかじめ記憶されたプログラムにしたがって、希望体型画像の面積又は体積を算出する（ステップＳ７）。
【００３５】
（３）画像比較工程
次に、画像比較手段としての制御部４０は、記憶部４１に記憶された現体型画像、及び、希望体型画像の面積又は体積、並びに、測定又は算出済みの生体データに基づいて、希望体型画像に現れた希望体型における体組成を推定値として算出する（ステップＳ８）。この体組成（推定値）の算出は、例えば、体型画像の面積及び体積と、測定又は算出済みの生体データ（体組成を含む。）と、個人情報（日常の食事・運動の内容）から推定した現状のエネルギー摂取量・エネルギー消費量と、の関係を示すように作成したテーブルに、希望体型画像の面積又は体積を当てはめることで行う。このテーブルは、算出プログラムとともに、記憶部４１に記憶させておく。さらに、現体型画像の面積又は体積と、実際に測定した体組成値（生体データ）と、に基づいて、記憶部４１に記憶したテーブルを適宜修正して使用すると、より正確な希望体型における体組成を算出することができる。算出された希望体型における体組成は記憶部４１に記憶される。
【００３６】
制御部４０は、記憶部４１に記憶された、現体型における体組成と希望体型における体組成（推定値）を比較して、体組成の差を求め、この体組成差に基づいて現体型を希望体型に誘導するためのエネルギー摂取に関する情報、及びエネルギー消費に関する情報を算出する（ステップＳ９）。これらの情報の算出は、例えば、現体型における体組成を希望体型における体組成に近づけるために必要な、エネルギー摂取量及びエネルギー消費量の実測値データに基づいて作成したテーブル（体組成とエネルギー摂取量・消費量とのテーブル）に、体組成差を当てはめることで行う。ここで、エネルギー摂取に関する情報とは、対象者が摂る食事に関する情報（例えば食事の内容、回数）であり、エネルギー消費に関する情報とは、対象者が行う運動のほか、基礎代謝情報も含む。これらの情報は、対象者が希望する体型の各部位（例えば、腹部、腕、脚など）ごとに、また、体組成の項目ごとに則して算出するのが好適である。
【００３７】
（４）希望体組成変更工程
一方、例えば、同じ体型であるが、筋肉量が少なく体脂肪量が多い場合と、筋肉量が多く体脂肪量が少ない場合とが成立してしまうといったように、体型が同一であっても体組成が異なる場合がある。そこで、本工程では、対象者に対して、上記工程で算出した希望体型における体組成（推定値）でよいか否かを確認する（ステップＳ１０）。確認は、制御部４０の制御のもと、表示入力部２５の表示部２５ａに表示することによって行う。対象者が、例えば、筋肉量を多くし体脂肪量を少なくするといったように、同じ希望体型で体組成の変更を希望する場合（ステップＳ１０でＹＥＳ）は、制御部４０は、表示部２５ａに体組成変更のためのメニューを表示し、対象者は、これにしたがって、入力部２５ｂを用いて希望する体組成情報を入力する（ステップＳ１１）。体組成の変更があった場合は、希望する体組成情報に基づき、希望体型における他の体組成を調整するなどして（ステップＳ８）、あらためてエネルギー摂取に関する情報、及びエネルギー消費に関する情報を算出する（ステップＳ９）。
【００３８】
（５）情報提供工程
対象者が希望体型について体組成の変更を希望しない場合（ステップＳ１１でＮＯ）は、算出されたエネルギー摂取に関する情報、及びエネルギー消費に関する情報を表示入力部２５の表示部２５ａに表示する（ステップＳ１２）。この情報提供は、対象者が希望する体型の各部位（例えば、腹部、腕、脚など）ごとに、また、体組成の項目ごとに則して行うのが好適である。表示された情報は、本体２０に接続した記憶媒体やプリンタその他の外部機器（図に示さず）に出力可能となっている。以上の工程により、本実施形態に係る体型誘導システムは動作を終了する（ステップＳ１３）。
【００３９】
（６）エネルギー摂取及びエネルギー消費
対象者は、上記の情報提供工程で取得したエネルギー摂取に関する情報及びエネルギー消費に関する情報に基づいて、エネルギー摂取及びエネルギー消費を実行することにより、自己の体型を希望体型画像に示す体型へ自ら誘導することができる。すなわち、単に標準的な体型を目指したり、漠然としたダイエット（痩身）を目的とするのではなく、対象者自身が希望する体型を具体的に自ら特定でき、その希望体型と現体型とを比較して体のどの部位がどの程度異なっているのかを画像として視覚的に捉えつつ、その実現のための個別的な情報提供が受けられるので、対象者のモチベーションの維持・向上を期待することができる。また、誘導過程において、例えば、希望体型に変更が生じた場合や、エネルギーの摂取又は消費量を変更したい場合は、再び上述の工程を実施することによって新たなエネルギー摂取に関する情報及びエネルギー消費に関する情報を取得することができる。したがって、無理なく、かつ、柔軟に体型の誘導を行うことができる。
【００４０】
次に、本発明による第２実施形態について、図４を参照して説明する。図４は、第２実施形態に係る体型誘導システムの構成を示すブロック図である。第２実施形態に係る体型誘導システムは、図４に示すように、カメラ１２１、スキャナ１２４、体組成計１３０、演算装置１４０、及び、サーバ１６０を備える。なお、第２実施形態の動作の流れは第１実施形態と同様であるため詳細な説明は省略する。
【００４１】
カメラ１２１、スキャナ１２４、及び体組成計１３０は、演算装置１４０に対して、インターフェイス（図に示さず）、又は、記憶媒体（例えばＳＤメモリーカード、メモリースティック、ｘＤピクチャーカード、ＵＳＢメモリ）を介して接続することができれば、対象者が所有するものを用いることができる。
【００４２】
演算装置１４０は、カメラ１２１、スキャナ１２４、及び体組成計１３０とは独立した装置であり、例えば対象者が所有するパーソナルコンピュータを用いることができる。この演算装置１４０は、ＣＰＵ１４１、入力手段としてのキーボード１４２、出力手段としてのモニタ１４３、メモリ１４４、及び、接続手段としてのモデム１４５を有する。なお、キーボード１４２に加えて、マウスその他の入力機器を用いることもできる。また、モニタ７２としては、例えば、ＣＲＴ（Ｃａｔｈｏｄｅ  Ｒａｙ  Ｔｕｂｅ）、液晶ディスプレイその他の表示機器のほか、プリンタその他の印刷機器を用いることができる。メモリ７３は、例えばＲＡＭ（Ｒａｎｄｏｍ  Ａｃｃｅｓｓ  Ｍｅｍｏｒｙ）を使用する。
【００４３】
演算装置１４０において、キーボード１４２、モニタ１４３、メモリ１４４、及びモデム１４５は、ＣＰＵ１４１によって動作を制御されている。カメラ１２１、スキャナ１２４、及び体組成計１３０から演算装置１４０に送られたデータは、メモリ１４４に保存されるとともに、モニタ１４３に表示される。また、第２実施形態においては、キーボード１４２を用いて対象者の個人情報を入力する。
【００４４】
サーバ１６０は、制御部１６１、モデム１６２、及びサーバメモリ１６３を備える。演算装置１４０とサーバ１６０は、モデム１４５及びサーバモデム１６２を用いて、ネットワークとしてのインターネット網１５０を介して接続可能である。
【００４５】
サーバ１６０において、モデム１６２、及びサーバメモリ１６３は、制御部１６１によって動作を制御されている。なお、上述の説明では、外部と通信が可能な手段として、インターネット網１５０を示したが、本発明はこれに限られず、携帯電話通信網その他の電気通信ネットワークを採択することが可能である。
【００４６】
第２実施形態においては、特定情報の入力、現体型画像の算出、希望体型画像の取り込み、希望体型画像の算出、希望体型の体組成の算出、エネルギー情報の算出、希望体組成の変更、及び、情報提供のうちの少なくとも一つ以上を、サーバ１６０の制御のもとで行う。すなわち、これらの工程が、サーバメモリ１６３に記憶されたプログラム及びデータを用いてそれぞれ実行される。対象者は、これらのプログラムにしたがってモニタ１４３に表示された情報に応じて、キーボード１４２により必要な情報を入力し、又は、メモリ１４４に記憶された情報をサーバ１６０側へ送出する。このようにして実行された各工程の結果は、サーバメモリ１６３に記憶されるとともに、モニタ１４３に表示され、さらに、対象者の希望により演算装置１４０のメモリ１４４に保存することができる。このように構成することによって、対象者は、対象者自身で既に所有している機器のみで本発明に係る体型誘導システムを利用することができるようになる。
【００４７】
次に、本発明による第３実施形態について、図５を参照して説明する。図５は、第３実施形態に係る体型誘導システムの構成を示すブロック図である。第３実施形態に係る体型誘導システムは、図５に示すように、カメラ２２１、スキャナ２２４、体組成計２３０、及び演算装置２４０を備える。なお、第３実施形態の動作の流れは第１実施形態と同様であるため詳細な説明は省略する。
【００４８】
カメラ２２１、スキャナ２２４、及び体組成計２３０は、第２実施形態と同様に、演算装置２４０に直接、又は、記憶媒体を介して接続することができれば、対象者が所有するものを用いることができる。演算装置２４０は、例えば対象者が所有するパーソナルコンピュータを用いることができ、第２実施形態と同様に、ＣＰＵ２４１、キーボード２４２、モニタ２４３、メモリ２４４、及び、モデム２４５を有する。キーボード２４２、モニタ２４３、メモリ２４４、及びモデム２４５は、ＣＰＵ２４１によって動作を制御されており、カメラ２２１、スキャナ２２４、及び体組成計２３０から演算装置２４０に送られたデータは、メモリ２４４に保存されるとともに、モニタ２４３に表示される。また、第３実施形態においても、キーボード２４２を用いて対象者の個人情報を入力する。
【００４９】
第３実施形態においては、特定情報の入力、現体型画像の算出、希望体型画像の取り込み、希望体型画像の算出、希望体型の体組成の算出、エネルギー情報の算出、希望体組成の変更、及び、情報提供に必要なプログラム及びデータを所定のサーバ（図に示さず）から、あらかじめダウンロードして、又は、記憶媒体（例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ））を介して、メモリ２４４に記憶させ、これらを用いて、ＣＰＵ２４１の制御のもと、各工程を実行する。対象者は、これらのプログラムにしたがってモニタ２４３に表示された情報に応じて、キーボード２４２により必要な情報を入力し、又は、メモリ２４４に記憶された情報を読み出させる。このようにして実行された各工程の結果は、メモリ２４４に記憶されるとともに、モニタ２４３に表示される。このように構成することによって、第２実施形態と同様、対象者は、対象者自身で既に所有している機器のみで本発明に係る体型誘導システムを利用することができるようになる。
【００５０】
本発明について上記実施形態を参照しつつ説明したが、本発明は上記実施形態に限定されるものではなく、改良の目的または本発明の思想の範囲内において改良または変更が可能である。
【図面の簡単な説明】
【００５１】
【図１】（ａ）は本発明の第１実施形態に係る体型誘導システムの構成を示す斜視図であり、（ｂ）は第１実施形態に係る電極部材の構成を示す側面図である。
【図２】本発明の第１実施形態に係る体型誘導システムの構成を示すブロック図である。
【図３】本発明の第１実施形態に係る体型誘導システムの動作の流れを示すフローチャートである。
【図４】本発明の第２実施形態に係る体型誘導システムの構成を示すブロック図である。
【図５】本発明の第３実施形態に係る体型誘導システムの構成を示すブロック図である。
【符号の説明】
【００５２】
１０    体型誘導システム
１５    基台
２０    本体
２１    第１カメラ（現体型画像取込手段）
２２    第２カメラ（現体型画像取込手段）
２３    第２カメラ（現体型画像取込手段）
２４    スキャナ（現体型画像取込手段）
２４ａ  投入口
２４ｂ  排出口
２５    表示入力部（情報提供手段、入力手段、希望体型画像取込手段）
２５ａ  表示部
２５ｂ  入力部
２６    グリップ
２６Ｌ  左手用グリップ
２６Ｒ  右手用グリップ
２７Ｌ、２７Ｒ  コード
２８Ｌ  左手用電極部材（体組成測定手段）
２８Ｌ１  通電電極
２８Ｌ２  測定電極
２８Ｒ  右手用電極部材（体組成測定手段）
２８Ｒ１  通電電極
２８Ｒ２  測定電極
３０    体組成計（体組成測定手段）
３１    載せ台
３２    電極部材（体組成測定手段）
３２ａ、３２ｄ  通電電極（体組成測定手段）
３２ｂ、３２ｃ  測定電極（体組成測定手段）
４０    制御部
４１    記憶部
４２    演算部（画像比較手段、現体型画像算出手段、希望体型画像算出手段）
４３    電源部
１２１    カメラ
１２４    スキャナ
１３０    体組成計
１４０    演算装置
１４１    ＣＰＵ
１４２    キーボード
１４３    モニタ
１４４    メモリ
１４５    モデム
１５０    インターネット網（ネットワーク）
１６０    サーバ
１６１    制御部
１６２    モデム
１６３    サーバメモリ
２２１    カメラ
２２４    スキャナ
２３０    体組成計
２４０    演算装置
２４１    ＣＰＵ
２４２    キーボード
２４３    モニタ
２４４    メモリ
２４５    モデム
【図１】
2008307286.tif 000003
【図２】
2008307286.tif 000004
【図３】
2008307286.tif 000005
【図４】
2008307286.tif 000006
【図５】
2008307286.tif 000007